【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
始動条件の成立により有利な特別遊技をおこなうか否かの判定をおこなう判定手段と、
前記判定手段により特別遊技をおこなうと判定された場合に、前記特別遊技を実行する特別遊技制御手段と、
前記特別遊技制御手段により前記特別遊技がおこなわれた後に、有利度合いの異なる第１特定遊技または第２特定遊技を実行する特定遊技制御手段と、
前記特別遊技制御手段により前記特別遊技がおこなわれているときに、特別遊技演出を実行する特別遊技演出制御手段と、
前記特定遊技制御手段により前記第１特定遊技または前記第２特定遊技が実行されているときに、特定遊技演出を実行する特定遊技演出制御手段と、
遊技者からの選択操作入力を受け付ける選択操作受付手段と、
を備え、
前記特別遊技演出制御手段は、
複数の選択項目のうち一の選択項目を選択させる選択演出を複数回実行する選択演出制御手段と、
前記選択演出制御手段により前記選択演出がおこなわれているときに、前記選択操作受付手段により選択操作入力が受け付けられた場合に、選択された選択項目を前記複数回分記憶する記憶手段と、
前記記憶手段により記憶されている前記複数回分の選択項目が所定の条件を満たしているか否かを判定する条件判定手段と、
を有し、
前記特定遊技演出制御手段は、
前記特定遊技制御手段により前記第１特定遊技がおこなわれているときに、第１特定遊技演出を実行し、
前記特定遊技制御手段により前記第２特定遊技がおこなわれているときに、
前記条件判定手段により前記所定の条件を満たしていると判定された場合に、第２特定遊技演出を実行し、
前記条件判定手段により前記所定の条件を満たしていない判定された場合に、前記第１特定遊技演出を実行することを特徴とする遊技機。
【請求項２】
前記特別遊技制御手段は、前記特定遊技制御手段に前記第１特定遊技を実行させるための第１特別遊技、または前記特定遊技制御手段に前記第２特定遊技を実行させるための第２特別遊技を実行し、
前記特別遊技演出制御手段は、前記特別遊技制御手段によって前記第２特別遊技が実行されている場合、前記所定の条件の満たしやすさが異なる複数の演出条件のうち、一の演出条件を設定する演出条件設定手段をさらに有し、
前記選択演出制御手段は、前記演出条件設定手段に設定される前記演出条件に応じた前記選択演出を複数回実行することを特徴とする請求項１に記載の遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】０００１
【補正方法】変更
【補正の内容】
【０００１】
本発明は、確変大当たり時に通常図柄が揃うことにより遊技者に対して確変状態を非通知とした確変非通知状態、および通常大当たり時に通常図柄が揃うことによって大当たりをおこなう通常状態、の大当たり状態を有する遊技機に関する。
【手続補正４】
【補正対象書類名】明細書
【補正対象項目名】０００６
【補正方法】変更
【補正の内容】
【０００６】
本発明は、上述した従来技術による問題点を解消するため、抽選演出をおこなうにあたり、興趣性を高め、遊技者を遊技に参加させることのできる遊技機を提供することを目的とする。
【手続補正５】
【補正対象書類名】明細書
【補正対象項目名】０００７
【補正方法】変更
【補正の内容】
【０００７】
上述した課題を解決し、目的を達成するため、以下の構成を採用した。括弧内の参照符号は、実施形態との対応関係を示したものである。ぱちんこ遊技機（１００）は、確変大当たり時に通常図柄が揃うことにより遊技者に対して確変状態を非通知とした確変非通知状態、および通常大当たり時に通常図柄が揃うことによって大当たりをおこなう通常状態、の大当たり状態を有するぱちんこ遊技機（１００）であって、遊技者に対する所定の要求ごとに、要求に対する返答とポイントとを対応付けたテーブルを予め設定する設定手段（２０１）と、遊技者からの操作入力を受け付ける受付手段（２０２）と、前記大当たり状態において、前記要求の情報を表示させる表示制御手段（２０３）と、前記表示制御手段（２０３）の制御によって表示された要求に対する返答を、前記受付手段（２０２）から受け付ける制御をおこなう入力制御手段（２０５）と、前記設定手段（２０１）に設定されているテーブルを用い、前記入力制御手段（２０５）の制御によって前記受付手段（２０２）から受け付けた前記返答に基づいて、ポイントの付与を決定する決定手段（２０６）と、前記決定手段（２０６）の決定により付与されたポイントに応じて、前記大当たり状態を示す所定の演出をおこなう大当たり演出制御手段（２０７）と、を備えることを特徴とする。
【手続補正６】
【補正対象書類名】明細書
【補正対象項目名】０００８
【補正方法】変更
【補正の内容】
【０００８】
上記構成によれば、大当たり中に遊技者から受け付けた要求に対する返答に応じて、確変非通知状態、確変通知状態、通常状態といった大当たり状態を示唆することができる。
【手続補正７】
【補正対象書類名】明細書
【補正対象項目名】０００９
【補正方法】変更
【補正の内容】
【０００９】
また、上記構成において、前記所定の要求は、遊技者に対する質問事項であり、前記設定手段（２０１）は、ラウンドごとに質問事項に対する回答とポイントとを対応付けたテーブルを予め設定し、前記表示制御手段（２０３）は、ラウンドごとに前記所定の要求として質問事項を表示させ、前記決定手段（２０６）は、前記テーブルを用いて、ラウンドごとに前記ポイントの付与を決定し、前記大当たり演出制御手段（２０７）は、前記確変非通知状態において、前記決定手段（２０６）の決定により付与されたポイントの累計が所定の判定ポイントに達したときに、確変状態であることを通知する確変昇格演出をおこなうこととしてもよい。
【手続補正８】
【補正対象書類名】明細書
【補正対象項目名】００１０
【補正方法】変更
【補正の内容】
【００１０】
上記構成によれば、大当たりのラウンドごとに受け付けた質問事項の回答に基づいて、ラウンドごとにポイントを付与するようにし、当該ポイントの累計が判定ポイントに達したときに、確変状態であることを示すことができる。
【手続補正９】
【補正対象書類名】明細書
【補正対象項目名】００１１
【補正方法】変更
【補正の内容】
【００１１】
また、上記構成において、前記大当たり演出制御手段（２０７）は、前記確変非通知状態の大当たり終了時に前記決定手段（２０６）の決定により付与されたポイントの累計が判定ポイントに達しない場合、前記大当たり終了後、確変状態を非通知としたモードである潜伏モードに移行させることとしてもよい。
【手続補正１０】
【補正対象書類名】明細書
【補正対象項目名】００１２
【補正方法】変更
【補正の内容】
【００１２】
上記構成によれば、確変非通知状態の大当たり終了時に、ポイントの累計が判定ポイントに達しない場合、潜伏モードに移行させることができる。
【手続補正１１】
【補正対象書類名】明細書
【補正対象項目名】００１３
【補正方法】変更
【補正の内容】
【００１３】
また、上記構成において、前記設定手段（２０１）は、確変非通知状態用テーブル（４００）および通常状態用テーブル（５００）を予め設定し、少なくとも前記通常状態用テーブル（５００）は、各ラウンドのポイントの累計を前記判定ポイント未満に設定しれたものであり、前記決定手段（２０６）は、前記通常状態において、前記通常状態用テーブル（５００）を用いてポイントの付与を決定し、前記大当たり演出制御手段（２０７）は、前記通常状態の大当たり終了後に、前記潜伏モードと同等の演出をおこなう通常モードに移行させることとしてもよい。
【手続補正１２】
【補正対象書類名】明細書
【補正対象項目名】００１４
【補正方法】変更
【補正の内容】
【００１４】
上記構成によれば、通常状態において、各ラウンドのポイントの累計が判定ポイントに達しないように設定された通常状態用テーブルを用いてポイントを付与するようにしたので、累計のポイント数が判定ポイントに達することなく、通常状態の大当たり終了後に、通常モードに移行させることができる。
【手続補正１３】
【補正対象書類名】明細書
【補正対象項目名】００１５
【補正方法】変更
【補正の内容】
【００１５】
また、上記構成において、前記決定手段（２０６）は、前記通常状態において、付与したポイントが前記判定ポイントの直前のポイント数に達した際に、ポイントの付与の停止を決定し、前記大当たり演出制御手段（２０７）は、前記通常状態の大当たり終了後に、前記潜伏モードと同等の演出をおこなう通常モードに移行させる演出をおこなうこととしてもよい。
【手続補正１４】
【補正対象書類名】明細書
【補正対象項目名】００１６
【補正方法】変更
【補正の内容】
【００１６】
上記構成によれば、ポイントが判定ポイントの直前のポイント数に達した際に、ポイントの付与を停止させるようにしたので、累計のポイント数が判定ポイントに達することなく、通常状態の大当たり終了後に、通常モードに移行させることができる。
【手続補正１５】
【補正対象書類名】明細書
【補正対象項目名】００１７
【補正方法】変更
【補正の内容】
【００１７】
また、上記構成において、前記大当たり演出制御手段（２０７）は、前記潜伏モードまたは前記通常モードに移行させる前に、前記ポイント数および前記大当たり状態に応じた確変状態の期待度を示す演出をおこなうこととしてもよい。
【手続補正１６】
【補正対象書類名】明細書
【補正対象項目名】００１８
【補正方法】変更
【補正の内容】
【００１８】
上記構成によれば、潜伏モードまたは通常モードに移行させる前に、ポイント数および大当たり状態に応じた確変状態の期待度を通知することができる。
【手続補正１７】
【補正対象書類名】明細書
【補正対象項目名】００１９
【補正方法】変更
【補正の内容】
【００１９】
また、上記構成において、前記設定手段（２０１）に設定されているテーブルは、大当たり中に登場するキャラクタごとに、前記返答に対応付けられたポイントが異なるものであることとしてもよい。
【手続補正１８】
【補正対象書類名】明細書
【補正対象項目名】００２０
【補正方法】変更
【補正の内容】
【００２０】
上記構成によれば、キャラクタごとに、大当たり中に確変昇格演出をおこなうか、大当たり後に潜伏モードに移行させるかの確率を異ならせることができる。
【手続補正１９】
【補正対象書類名】明細書
【補正対象項目名】００２１
【補正方法】変更
【補正の内容】
【００２１】
また、上記構成において、前記設定手段（２０１）に設定されているテーブルは、時間帯ごとに、前記返答に対応付けられたポイントが異なるものであることとしてもよい。
【手続補正２０】
【補正対象書類名】明細書
【補正対象項目名】００２２
【補正方法】変更
【補正の内容】
【００２２】
上記構成によれば、時間帯ごとに、大当たり中に確変昇格演出をおこなうか、大当たり後に潜伏モードに移行させるかの確率を異ならせることができる。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２７
【補正方法】変更
【補正の内容】
【００２７】
以下に添付図面を参照して、本発明にかかる遊技機の好適な実施の形態を詳細に説明する。